(57)【要約】【課題】従来通りの遮蔽性、採光性、通風性、耐候性を有していながら近年一般家庭で要望の高い防犯効果を有する目隠しパネル用ルーバー及び目隠しパネルを提供する。【解決手段】長尺の合成樹脂製の上面板片１０ａ、前面板片１０ｂ、下面板片１０ｃとで断面コ字状となした片材を形成し、当該下面板片１０ｃが上面板片１０ａより幅方向に長く、且つ当該下面板片１０ｃの端部から下方に伸びる折込板片１０ｄを有する目隠しパネル用ルーバー１を形成する。そして当該ルーバー１の複数個を一定間隔で平行に並べた２本の縦桟部材３に夫々平行に且つ上側のルーバー１の折込板片１０ｄと下側のルーバーの上面板片１０ａとが上下方向において重なるように配列せしめ、その全周を断面コ字状の枠材２によって覆う。【選択図】図６
2004316247.tif 000002
【特許請求の範囲】
【請求項１】
建物の窓等に設置される目隠しパネル用のルーバーであって、長尺の合成樹脂製からなる前面板片の上端を後側に屈曲して上面板片となすと共に、当該前面板片の下端を後側に屈曲して下面板片となして断面コ字状とした片材を形成し、当該下面板片が上面板片より幅方向に長く、且つ当該下面板片の端部から下方に伸びる折込板片を有することを特徴とする目隠しパネル用ルーバー。
【請求項２】
一定間隔で平行に並べた複数本の縦桟部材に、長尺の合成樹脂製からなる前面板片の上端を後側に屈曲して上面板片となすと共に、当該前面板片の下端を後側に屈曲して下面板片となして断面コ字状とした片材を形成し、当該下面板片が上面板片より幅方向に長く、且つ当該下面板片の端部から下方に伸びる折込板片を有する目隠しパネル用ルーバーの複数個を夫々平行に且つ上側のルーバーの折込板片と下側のルーバーの上面板片とが上下方向において重なるように配列せしめ、その全周が枠材によって覆われたことを特徴とする目隠しパネル。
【請求項３】
ルーバーが半透明のポリカーボネート樹脂からなり、上記目隠しパネルを出窓の屋外側に設置したことを特徴とする請求項２に記載の目隠しパネル。
【発明の詳細な説明】
【０００１】
【発明の属する技術分野】
本発明は、建物の窓等の外側に取り付けられる目隠しパネル用ルーバー及び目隠しパネルに関する。
【０００２】
【従来の技術】
建物の窓等に設置される目隠しパネルは、遮蔽性、透光性、通風性等を有するため、近年多用されている。
【０００３】
この目隠しパネルに使用されるルーバーは傾斜片の上端から上方に垂直片、下端から下方に垂直片を一体として設けた形状であるため、当該ルーバーをパネルに組み立てたとき、上下の垂直片の上下端がパネルの前面に露呈するため（例えば、特許文献１、特許文献２、特許文献３参照）、この上下端から鋏等の刃を入れて、ルーバーを切断したり破壊することができる。つまり、防犯効果という点で問題が有る。
【０００４】
【特許文献１】
実開平１−１４８９０号公報（第１図、第５〜７図）
【特許文献２】
実開平１−１４８９１号公報（第４図、第６図、第９図）
【特許文献３】
実開平３−９８２７３号公報
【０００５】
【発明が解決しようとする課題】
このように、従来の目隠しパネルは、遮蔽性、採光性、通風性等の点では優れているが、防犯を目的とすることはできなかった。特に合成樹脂製のルーバーは鋏の刃を入れることによって容易に切断することができ、防犯目的には使用できなかった。この為、防犯の為には更に鉄格子等を設置する必要があった。
【０００６】
本発明は、上記の問題に対処すべくなされたもので、その目的とするところは、従来通りの遮蔽性、採光性、通風性等を有していながら近年一般家庭での要望が高い防犯効果を有する目隠しパネル用ルーバー及び目隠しパネルを提供することにある。
【０００７】
【課題を解決するための手段】
前記目的を達成するため、本発明の請求項１に係る目隠しパネル用ルーバーは、建物の窓等に設置される目隠しパネル用のルーバーであって、長尺の合成樹脂製からなる前面板片の上端を後側に屈曲して上面板片となすと共に、当該前面板片の下端を後側に屈曲して下面板片となして断面コ字状とした片材を形成し、当該下面板片が上面板片より幅方向に長く、且つ当該下面板片の端部から下方に伸びる折込板片を有することを特徴とするものである。
【０００８】
このような形状の目隠しパネル用ルーバーは、当該ルーバー自体の剛性が高くなるだけでなく、目隠しパネルとして使用する際に上下一定間隔で配列させたときに、上側に設置したルーバーの折込板片と下側に設置したルーバーの上面板片とを上下方向で重なるように配置させることができ、しかも下面板片が上面板片よりも幅方向に長いため、接触することがなく隙間を生じる。そのため通風性を損なわずに目隠し効果を高めることができる。また、上記のように配置されると、ルーバーの上下端縁が前面に露出しないので、鋏の刃を入れ難いという防犯効果を有する。
【０００９】
そして、本発明の請求項２に係る目隠しパネルは、一定間隔で平行に並べた複数本の縦桟部材に、長尺の合成樹脂製からなる前面板片の上端を後側に屈曲して上面板片となすと共に、当該前面板片の下端を後側に屈曲して下面板片となして断面コ字状とした片材を形成し、当該下面板片が上面板片より幅方向に長く、且つ当該下面板片の端部から下方に伸びる折込板片を有する目隠しパネル用ルーバーの複数個を夫々平行に且つ上側のルーバーの折込板片と下側のルーバーの上面板片とが上下方向で重なるように配列せしめ、その全周が枠材によって覆われたものである。
【００１０】
このような目隠しパネルは、前述のとおり、上側に設置したルーバーの折込板片と下側に設置したルーバーの上面板片とが上下方向で重なることにより目隠し効果が高まり、更に目隠しパネル用ルーバーの端部が前面に露呈することがないので鋏の刃を入れることができない。
【００１１】
また、目隠しパネル用ルーバーの下面板片が上面板片よりも幅方向に長いために、上側に設置したルーバーの折込板片と下側に設置したルーバーの上面板片は接触することなく隙間を有しているので、通風性を損なうことがない。更にパネル全周を枠材で覆うことによって、ルーバーの左右端部が露呈することがないので、目隠しパネルの側面方向から鋏の刃を入れることによって目隠しパネル用ルーバーが切断される心配がない。
【００１２】
次に、本発明の請求項３の目隠しパネルは、ルーバーが半透明のポリカーボネート樹脂からなり、上記目隠しパネルを出窓の屋外側に設置したことを特徴とするものである。
【００１３】
このような構成の目隠しパネルは、当該目隠しパネルを出窓に設置したとき、出窓に配置される置物・装飾品等のシルエットが半透明のルーバーによって隠蔽され、且つ採光性が損なわれることがない。
【００１４】
【発明の実施の形態】
以下図面を参照して本発明の具体的な実施形態を詳述する。
【００１５】
図１は本発明の一実施形態に係る目隠しパネル用ルーバーの断面図、図２は同目隠しパネル用ルーバーの斜視図、図３は本発明の目隠しパネル用ルーバー取付用縦桟部材の一実施形態を示す斜視図、図４は他の同ルーバー取付用縦桟部材の斜視図、図５は本発明の一実施形態に係る目隠しパネルの正面図、図６は同目隠しパネルの斜視図（横枠材一部破断）、図７は同目隠しパネルの他の実施形態に係る斜視図（横枠材一部破断）、図８は図７の目隠しパネルを外壁に取付固定した状態を示す側面図、図９は同目隠しパネルの平面図である。
【００１６】
図１、図２に示すように、本発明の目隠しパネル用ルーバー１（以下「ルーバー」という。）は、長尺の合成樹脂製からなる前面板片１０ｂと、その上端を後側に屈曲して形成した上面板片１０ａと、当該前面板片１０ｂの下端を後側に屈曲して形成した下面板片１０ｃとで断面コ字状となした片材であり、当該下面板片１０ｃの端部から下方に伸びる折込板片１０ｄを設けてなるものである。下面板片１０ｃの幅長さＬ１は上面板片１０ａの幅長さＬ２より長くしてある。この幅長さＬ１はどのような幅長さとしてもよいが、少なくとも折込板片１０ｄの厚さより長くする必要があり、また、あまり長すぎると、パネルとして外壁６に取り付けた際に外壁６から離れすぎるので幅長さＬ２の３倍までが好ましい。より好ましくは１．５〜２・５倍である。
【００１７】
前面板片１０ｂの上下端部から屈曲させて設けられる上面板片１０ａ、下面板片１０ｃは必ずしも９０度をもって屈曲させる必要はなく、７０度〜１１０度の範囲で適宜屈曲させれば良い。但し、前面板片１０ｂから上面板片１０ａと下面板片１０ｃとを曲設する際の屈曲角度は共に同じ屈曲角度とすることが好ましく、このようにすると当該ルーバー１を上下に配置したときに上面板片１０ａと下面板片１０ｃとが平行になるので、通気性を確保することができる。また、折込板片１０ｄは前面板片１０ｂと平行に設けられる。
【００１８】
当該ルーバー１は、ポリカーボネート樹脂やポリ塩化ビニル樹脂、アクリル樹脂等の採光性を有する合成樹脂から作製され、特に半透明のポリカーボネート樹脂が好適に用いられる。半透明のポリカーボネート樹脂製としたルーバー１は、ポリカーボネート樹脂の耐衝撃性と、コ字状となした形状に由来する剛性の高さから突風に耐えうる強度を有し且つ半透明であるからシルエット隠蔽性も付与される。
【００１９】
当該ルーバー１が採光性とシルエット隠蔽性の両方を満たすためには、全光線透過率が４０〜９５％、ヘーズ値が４０〜９５％であるものが好ましい。全光線透過率が４０％よりも低く、ヘーズ値が９５％より高いものは採光性に劣り、逆に全光線透過率が９５％より高く、ヘーズ値が４０％より低いものは採光性は良いけれども、遮蔽性能に劣り容易に透視できるので好ましくない。
【００２０】
ルーバー１をパネルに組み立てるには、まず図３及び図４に示すようなルーバー取付用縦桟部材３及び３ａ（以下「縦桟部材」という。）に当該ルーバー１を取り付ける。ルーバー１の縦桟部材３、３ａへの取り付けは、当該ルーバー１の折込板片１０ｄの左右両端に設けられたビス孔にビスを挿通させ、縦桟部材３、３ａに設けられたルーバー取付ビス孔３３にビス留めして行われる。
【００２１】
縦桟部材３は、図３に示すように、アルミ等の金属製の帯板を凸曲させて、ルーバー１の形状に沿うよう凹凸に形成されている。凸曲部３１は、ルーバー１の前面板片１０ｂに当接し、当該前面板片１０ｂを凸曲部３１の前面で支持する様になされている。そして、縦桟部材３の凹曲部３２の上下方向の長さは、上側に取り付けられるルーバー１の折込板片１０ｄが、下側に取り付けられたルーバー１の上面板片１０ａと上下方向において重ねて設置されるよう決定される。また、縦桟部材３の凹曲部３２にはルーバー取付ビス孔３３が設けられている。なお、縦桟部材３は必ずしも凹凸を必要とせず、帯板状でもよいが、凹凸形状としてルーバー１に沿うよう形成することで、突風時等のルーバー１へ加わる風圧を縦桟部材３の全面で支持し、凸曲部３１の変形や、ルーバー１のきしみ、損傷をなくすことができる。
【００２２】
図４は、他のルーバー取付用縦桟部材３ａを示している。この縦桟部材３ａはアルミ等の金属製帯板３４に目隠し用ルーバー１の形状に沿うように断面四角形状の中空の金属体であるルーバー取付補助部材３５を溶接等で固定させたものである。この縦桟部材３ａにおいても、前記補助部材３５の前面がルーバー１の前面板片１０ｂに当接し、支持される様になされている。この補助部材３５の上下方向の固定間隔も、上下のルーバー１の折込板片１０ｄと上面板片１０ａとが重なる様になされている。
【００２３】
次に、図５、図６、図７は、上記縦桟部材３、３ａに複数個の上記ルーバー１、１・・・を取付固定し、その全外周が断面コ字状の枠材２で覆われた目隠しパネルＰを示している。縦桟部材３を用いてパネルＰ１を組み立てるには、まず縦桟部材３にルーバー１が取り付けられるが、図６に示す様に、左右に配置された２本の縦桟部材３の凸曲部３１にルーバー１の前面板片１０ｂを重ね合わせ、ルーバー１の折込板片１０ｄを縦桟部材３の凹曲部３２にビス等で固定する。この時、凸曲部３１の前面にウレタン、ゴム、スポンジ等の緩衝材５を貼り付けておいて、該凸曲部３１の前面とルーバー１の前面板片１０ｂの裏面との間に当該緩衝材５を介在させておくことが好ましい。このように緩衝材５を用いると、目隠しパネル用ルーバー１が強風に煽られたときに支柱と接触することによって生じる不快音や、目隠しパネル用ルーバー１の損傷を軽減することができる。緩衝材５はウレタン、ゴム、スポンジ等の弾性力のある部材が用いられる。
【００２４】
このルーバー１の下側に同様にしてルーバー１が取付固定されるが、その際に上側のルーバー１の折込板片１０ｄに、下側ルーバー１の上面板片１０ａとが上下方向で重なり、且つ当該折込板片１０ｄの先端と当該上面板片１０ａとの間に隙間が形成される様になされる。更に、次の下側のルーバー１を同様にして取付固定していき、複数個のルーバー１，１・・・を縦桟部材３に配置して固定する。次に、このルーバー１、１・・・を取付固定した縦桟部材３の全外周をコ字状の枠材２で覆う。即ち、縦桟部材３の上端と下端に枠材２の横枠材２ａをかぶせ、上側横枠材２ａの裏面より各縦桟部材３の上端にビス等を螺入して固定すると共に、下側横枠材２ａの裏面から各縦桟部材３の下端にビス等で固定する。その後、上下の横枠材２ａに縦枠材２ｂを接合する。
【００２５】
横枠材２ａと縦枠材２ｂの接合は、これらの枠材２ａ、２ｂの内部に金属製のＬ字部材４をビス孔（不図示）にビス４０ａを挿通して接合されるか、もしくは溶接によって接合される。枠材２ａ、２ｂの端部は略４５度になるよう切断処理されており、これによって横枠材２ａと縦枠材２ｂの端部を突き合わせて接合させたときに枠全体が剛性の高い長方形状となるようにしている。
【００２６】
このように組み立てられたパネルＰ１は、ルーバー１，１同士の上面板片１０ａと折込板片１０ｄとが上下方向に重なっているので、パネルＰ１の前からは後ろを見通すことはできず隠蔽性が確保される。また、上面板片１０ａが下面板片１０ｃより幅方向に短いため、上面板片１０ａと折込板片１０ｄとの間に隙間Ｌ３（図１参照）が生じ、この隙間Ｌ３を通して風が通り、通風性を確保することができる。更に、上記隙間Ｌ３は前面板片１０ａより内側の下面板片１０ｃの先に形成されるので、前上方からでも前下方からでも隙間Ｌ３を通して内側を見通すことができず遮蔽性に優れている。
【００２７】
更にパネルＰ１は、ルーバー１の上下端部をルーバー１同士で隠蔽し合っていることに加えて、その全外周を枠材２で覆っているので、ルーバー１同士で隠蔽ができない目隠しパネルの最上部に設置されたルーバー１の上端部と最下部に設置されたルーバー１の下端部、更に当該ルーバー１の側面側端部も隠蔽することができるので、目隠しパネルに配設されたルーバー１のすべての端部が隠蔽されることになり、鋏の刃等で切断される心配が皆無となる。
【００２８】
図７は縦桟部材３ａを用いたパネルＰ２を示し、前記のパネルＰ１と異なる点は、ルーバー１の前面板片１０ｂを縦桟部材３ａの補助部材３５に重ね合わせてなる点、ルーバー１の折込板片１０ｄを帯板３４に固定している点であり、他は同じであるので説明を省略する。
【００２９】
図８は目隠しパネルＰ２を家屋等の外壁６に取り付けた状態を示す側面図、図９はその平面図である。目隠しパネルＰ２は建物に設けられた窓７に設置され、特に防犯効果、シルエット隠蔽性の観点から、建物に設けられた出窓に好適に取り付けられる。その取付固定の一例は鉄、ステンレス等の金属製の階段状固定金具８を使用し、当該固定金具８の一方の端部に穿孔して設けられた枠材側パネル取付け孔（不図示）にビス８０ａを挿通し、横枠材２ａに固定金具８を少なくとも左右２箇所に固定する。そして建物の窓７の全面を覆うように当該目隠しパネルＰ２の設置場所を決定し、固定金具８の他方の端部に穿孔して設けた外壁側パネル取付け孔（不図示）にアンカーボルト８０ｂを挿通して外壁６に固定する。目隠しパネルの設置方法は、設置個所、状況に応じて適宜他の方法が選択されてよい。
【００３０】
【発明の効果】
以上の説明から明らかなように、本発明の目隠しパネル用ルーバー及び目隠しパネルは、略断面コ字状をなし、下面板片が上面板片より幅方向に長くし、下面板片から下方に伸びる折込板片を形成しているから、これを上下方向に並設したパネルの前面にはルーバーの上下端面が露出せず鋏等の刃を入れ難く防犯効果を有するし、下面板片と折込板片との間の隙間で通風性を確保することができる。当該ルーバーは断面コ字状となしているので剛性があり、たわんだりすることがない。また、本発明の目隠しパネルは、ルーバーと縦桟部材とでなると共に、その全外周を枠材で覆っているので、ルーバーの上下左右端が枠材で隠蔽されて露出せず、これらの端部からも鋏等で切断し難いという防犯効果を奏する。
【図面の簡単な説明】
【図１】本発明の一実施形態に係る目隠しパネル用ルーバーの断面図である。
【図２】同目隠しパネル用ルーバーの斜視図である。
【図３】本発明の目隠しパネル用ルーバー取付用縦桟部材の一実施形態を示す斜視図で
ある。
【図４】他の同ルーバー取付用縦桟部材の斜視図である。
【図５】本発明の一実施形態に係る目隠しパネルの正面図である。
【図６】同目隠しパネルの斜視図（横枠材一部破断）である。
【図７】同目隠しパネルの他の実施形態に係る斜視図（横枠材一部破断）である。
【図８】同目隠しパネルを外壁に取付固定した状態を示す側面図である。
【図９】同目隠しパネルの平面図である。
【符号の説明】
１  目隠しパネル用ルーバー
１０ａ    上面板片
１０ｂ    前面板片
１０ｃ    下面板片
１０ｄ    折込板片
２        枠材
３、３ａ  ルーバー取付用縦桟部材
【図１】
2004316247.tif 000003
【図２】
2004316247.tif 000004
【図３】
2004316247.tif 000005
【図４】
2004316247.tif 000006
【図５】
2004316247.tif 000007
【図６】
2004316247.tif 000008
【図７】
2004316247.tif 000009
【図８】
2004316247.tif 000010
【図９】
2004316247.tif 000011